(57)【特許請求の範囲】
【請求項１】
本体ケース及びこれに一体又は分離可能に設けられた糸巻きケースを有し、この糸巻きケース内のリールの外周に巻かれた墨打ち糸が前記本体ケースの墨室内を通って外部へ導出され、この墨打ち糸の先端にかるこが設けられた墨壷において、
前記墨室の上部に手指での押圧により前記墨室内の墨汁浸透部材と墨打ち糸とを圧接させる押圧部材が可動状態に配置され、
前記押圧部材の操作部が墨室の上部壁面に開設された窓部内に位置し、
前記窓部に前記操作部を外側から覆う弾性体が封着されたことを特徴とする墨壷。
【請求項２】
押圧部材の操作部が墨室の上部壁面の窓部から外側へ突出する突起状に形成され、前記窓部に封着された弾性体が前記操作部を覆うキャップ状に形成されたことを特徴とする請求項１に記載の墨壺。
【発明の詳細な説明】
【０００１】
【発明の属する技術分野】
本発明は、木工あるいは建築における墨打ち作業に使用される墨壷において、特にその墨室内の墨汁浸透部材に墨打ち糸を圧接させて墨汁を付着させるための構造に関するものである。
【０００２】
【従来の技術】
建築作業者等が使用する墨壷は、糸巻きケース内に回転自在に設けられたリールの外周に墨打ち糸が巻かれ、この墨打ち糸が、前記糸巻きケースに連結された本体ケースの墨室内の墨汁浸透部材に接触して前記本体ケースの一端に形成された糸繰り出し口から外部へ繰り出され、その先端に、この墨打ち糸を墨打ち起点に止着するためのかるこが繋着された構成を有する。本体ケースの墨室の上部には押圧部材が配置されていて、前記墨室を開閉する墨室カバーの下面に可動状態に取り付けられ、この押圧部材に形成された操作突部が前記墨室カバーに開設した窓部から外部へ突出し、前記操作突部と窓部との間に柔軟なシール部材を介在させた構成を備える（例えば特開平１０−８６０７９号公報参照）。
【０００３】
すなわち上記墨壺は、墨打ち作業において墨打ち糸を引き出す際に、押圧部材の操作突部を手指で押圧して、この押圧部材で墨打ち糸と墨室内の墨汁浸透部材とを圧接させることによって、前記墨打ち糸に確実に墨汁を付着させることができるようにしたものである。
【０００４】
【発明が解決しようとする課題】
しかしながら上記従来構造によれば、押圧部材に形成された操作突部がシール部材を貫通して外部へ露出されているため、前記操作突部を押圧して変位させた時に、これに伴うシール部材の変形によって両者間に隙間を生じ、墨室内の墨汁が滲み出すおそれがある。また、前記操作突部の先端を手指で押圧する時の感触が硬いものであった。
【０００５】
本発明は、上記のような問題に鑑みてなされたもので、その主な技術的課題とするところは、墨室内の墨汁浸透部材に墨打ち糸を圧接させて墨汁を付着させるための押圧部材の操作部におけるシール性を向上させると共に、その使用時の感触を向上させることにある。
【０００６】
【課題を解決するための手段】
上述した技術的課題は、本発明によって有効に解決することができる。
すなわち本発明は、本体ケース及びこれに一体又は分離可能に設けられた糸巻きケースを有し、この糸巻きケース内のリールの外周に巻かれた墨打ち糸が前記本体ケースの墨室内を通って外部へ導出され、この墨打ち糸の先端にかるこが設けられた墨壷において、前記墨室の上部に手指での押圧により前記墨室内の墨汁浸透部材と墨打ち糸とを圧接させる押圧部材が可動状態に配置され、この押圧部材の操作部が墨室の上部壁面に開設された窓部内に位置し、前記窓部に前記操作部を外側から覆う弾性体が封着されたものである。好ましくは、前記操作部が前記窓部から外側へ突出する突起状に形成され、前記弾性体が前記操作部を覆うキャップ状に形成される。
【０００７】
この構成によれば、押圧部材の操作部は、墨室の上部壁面の窓部に封着された弾性体によって完全に覆われており、外部へ露出していないので、この部分における墨汁の漏れ防止の信頼性が向上する。また、前記操作部は前記弾性体を介して手指で押圧操作されるため感触が軟らかくなる。
【０００８】
【発明の実施の形態】
図１は本発明の好ましい一実施形態を示す墨壺の平面図、図２は下面図、図３は図１のIII- III線に沿って切断した断面図である。この実施形態において、墨壺本体は、本体ケース１と、この本体ケース１に結合された糸巻きケース２と、この糸巻きケース２に回転自在に収容されたリール３と、本体ケース１内の墨室１Ｓを開閉する墨室カバー４と、本体ケース１における前記糸巻きケース２と反対側の端部に設けられ糸繰り出し口５１を有するトップ部材５とからなる。前記糸繰り出し口５１からは、前記リール３に巻かれた墨打ち糸６が導出され、その端部には、かるこ７が繋着されている。また墨室カバー４には、墨室１Ｓ内の墨汁浸透部材１２と墨打ち糸６とを圧接させる押圧部材としての糸押さえレバー８が設けられている。
【０００９】
本体ケース１における糸巻きケース２側の端部には円筒状の外側継手部１１が突設され、糸巻きケース２の外周部における円周方向一部には前記外側継手部１１の内周に挿入可能な円筒状の内側継手部２１が突設され、この外側継手部１１と内側継手部２１には、互いに抜け止めされると共に所定角度だけ相対回転させた時に前記抜け止め状態が解除される掛合部が形成されている。すなわち本体ケース１と糸巻きケース２は、前記外側継手部１１及び内側継手部２１を介して、その軸心の周りに互いに回動可能かつ着脱可能に連結されている。
【００１０】
本体ケース１は合成樹脂で成形されたものであって、その内部には墨汁浸透部材１２が充填される墨室１Ｓが形成されており、本体ケース１における糸巻きケース２側の端部内周には、墨室１Ｓ内へ向けて突出した糸挿通管１３が設けられている。リール３は糸巻きケース２の内部に位置するリール本体３１を有し、このリール本体３１に巻かれた墨打ち糸６は、糸挿通管１３及び墨室１Ｓ内を通って墨汁を染み込ませた墨汁浸透部材１２に接触され、トップ部材５の糸繰り出し口５１から本体ケース１の外部へ導出される。なお前記墨汁浸透部材１２は、綿あるいはフェルト等を、墨汁の浸透可能な保護シートでくるんだものである。
【００１１】
糸巻きケース２は本体ケース１と同じ合成樹脂で成形されたものであって、上下に二つ割りされており、すなわち上半ケース部材２Ａと下半ケース部材２Ｂからなる。この上半ケース部材２Ａと下半ケース部材２Ｂは、内側継手部２１に対する円周方向１８０°対称位置にそれぞれ突設された掛合突起２２，２３を互いに掛合すると共に、上下に分割された前記内側継手部２１をその大径の基部２４にゴム材製のＯリング等からなる結束リング２５を嵌め込んで結束することによって、糸巻きケース２としての形状に組み立てられている。また、前記上半ケース部材２Ａと下半ケース部材２Ｂとの間は、パッキン２６によって密封されている。
【００１２】
リール３は、そのリール本体３１の内周に略同心的かつ相対回転可能な状態に組み込まれたばね芯３２と、一端がリール本体３１に固定されると共に他端がばね芯３２に固定されてリール本体３１を墨打ち糸６の巻き取り方向に付勢する渦巻きばね３３とを備えている。リール本体３１の軸方向一側には、墨打ち糸６を手動回転によって巻き取るための巻き取りハンドル３４が形成され、上半ケース部材２Ａの内周部に形成された円形窓２ａから外部へ露出している。また、この巻き取りハンドル３４と反対側を向いたばね芯３２の端部には、チャージハンドル３５が形成され、下半ケース部材２Ｂの内周部に形成された円形窓２ｂから外部に露出している。
【００１３】
ばね芯３２及びこれと一体のチャージハンドル３５は、ラチェット機構３６によって渦巻きばね３３の蓄勢方向にのみ回転することができ、リール本体３１が墨打ち糸６の繰り出し方向へ回転された場合は、同方向へのばね芯３２の回転が阻止され、渦巻きばね３３がばね芯３２に巻き込まれて漸次蓄勢されるようになっている。また、かるこ７がトップ部材５の内周（糸繰り出し口５１）に掛止されるまで墨打ち糸６を完全に巻き取った状態において、チャージハンドル３５を糸巻き取り方向と同方向に回転させた場合は、リール本体３１は、かるこ７が掛止されることによって巻き取り方向の回転を阻止されると共に、その反対方向へのチャージハンドル３５の回転も阻止されるので、弛緩した渦巻きばね３３を任意に蓄勢することができる。
【００１４】
また、ラチェット機構３６とチャージハンドル３５との掛合状態は、クラッチレバー３７の操作によって解除される。このため、クラッチレバー３７の操作によって、前記チャージハンドル３５及びばね芯３２は、渦巻きばね３３の付勢力を減少させる方向へ間欠的に回転し、渦巻きばね３３の付勢力を任意に減少させることができる。
【００１５】
糸巻きケース２の上半ケース部材２Ａにおける本体ケース１側の端部近傍には、ブレーキ片２７が、リール３の軸心とほぼ平行な軸の周りに回転可能に設けられ、ビス２８で抜け止めされている。このブレーキ片２７の揺動端部２７ａは、手指での操作によって、前記上半ケース部材２Ａから露出した巻き取りハンドル３４の外周面３４ａと接触可能であり、これによってリール３の回転をロックすることができるようになっている。
【００１６】
墨室１Ｓの上部壁面は、本体ケース１上部開口１Ｈを開閉する墨室カバー４で構成される。この墨室カバー４は、本体ケース１と同じ合成樹脂等で成形されたものであって、その外周下面には、閉止時に前記上部開口１Ｈの外周上縁に密接して、墨室１Ｓ内の墨汁の漏れを防止するパッキン４１が周設されている。
【００１７】
この墨室カバー４は、本体ケース１の上部開口１Ｈにおけるトップ部材５側の端部近傍に一体的に設けられたフード１４に、連結端部４ａが連結軸４２を介して揺動可能に取り付けられると共に、この連結軸４２の外周に配置されたトーションばね４３によって前記上部開口１Ｈを開放する方向（上方）へ常時付勢されている。
【００１８】
本体ケース１における外側継手部１１の近傍には、円周方向に連続した案内溝が周設され、この案内溝合成樹脂等からなる拘束リング１６が装着されている。一方、墨室カバー４の揺動端部４ｂには被拘束突起４４が突設されており、この被拘束突起４４を前記拘束リング１６で外周から拘束することによって、墨室カバー４が墨室１Ｓに対する上部開口１Ｈに対する閉止状態に保持されるようになっている。また、前記拘束リング１６の円周方向一部には切欠部１６ａが形成されており、例えば当該墨壺を持つ手の親指等によって、拘束リング１６を回転させて、前記切欠部１６ａを前記被拘束突起４４の上に移動させることにより、この被拘束突起４４に対する拘束状態を解除すれば、墨室カバー４は、トーションばね４３の付勢力によって、墨室１Ｓの上部開口１Ｈを開放する。
【００１９】
トップ部材５は耐摩耗樹脂材で成形されたものであって、本体ケース１における糸巻きケース２と反対側の端部の内周にパッキン１７を介して挿入・固定され、内周に糸繰り出し口５１が開設されている。この糸繰り出し口５１は、墨室１Ｓ側の内端５１ａが墨打ち糸６とほぼ同径の細い円孔状をなし、外側の開口縁５１ｂが図３に示される断面と直交する方向へ延びる扁平な長孔状に形成されている。前記開口縁５１ｂにおける上下の互いに平行な直線部には、それぞれＶ字形の複数の糸掛け切欠５２が直線的に並んで形成されており、左右両端部にはそれぞれ糸掛け溝（図示省略）が形成されている。
【００２０】
かるこ７は、合成樹脂製の柄７１と、この柄７１に基部が埋設固定された刺通針７２と、この刺通針７２の外周を包囲する合成樹脂製保護材７３とからなる。前記柄７１は扁平な形状に形成されており、その刺通針７２側の端部は、墨打ち糸６を完全にリール３に巻き取った状態において、トップ部材５の糸繰り出し口５１に収容された状態に係合されるようになっている。
【００２１】
糸押さえレバー８は、図４に墨室カバー４と分離した状態で示されるように、一端に形成された軸部８１が、前記墨室カバー４の下面に形成された軸受部４５に回転自在に軸支され、これによって、前記軸部８１を中心として揺動可能となっている。前記軸部８１の外周に装着されたトーションばね８２によって上方へ常時付勢されている。一方、前記墨室カバー４には凹部４６が形成され、その最深部には窓部４７が開設され、この窓部４７には弾性体としてのキャップ９が封着されている。
【００２２】
詳しくは、糸押さえレバー８の長手方向中途部分の上面には操作突部８４が形成されており、この操作突部８４は墨室カバー４の窓部４７内を通ってその外側へ延在されいる。また、キャップ９はゴム等のエラストマ材料で成形されたものであって、その上面部９１が前記糸押さえレバー８の操作突部８４を上から覆うように膨らんだ球面状をなし、裾部９２の外周面に周設された溝９２ａにおいて前記窓部４７に嵌合状態に封着されている。
【００２３】
なお、墨室カバー４の下面に形成された段差部４８は、トーションばね８２の一端８２ａを掛止するためのものである。
【００２４】
上述の構成を有する墨壺を用いて、墨打ち作業を行う場合は、かるこ７の刺通針７２を墨打ちの一方の起点に突き刺してから、墨壺本体を移動させることによって、墨打ち糸６を前記墨壷本体の移動距離分だけ繰り出し、墨打ちの他方の起点にトップ部材５の開口縁５１ｂで押止することによって、前記繰り出しの過程で墨汁浸透部材１２との接触により墨汁が付着した前記墨打ち糸６を前記両起点間に張設し、これを墨打ち対象面に向けて指ではじいて打ち付けることによって、墨線を転写する。墨打ち作業終了後は、墨打ち糸６を強引に引っ張るなどして、かるこ７を墨打ち対象面（図示省略）から引き抜くと、墨打ち糸６の繰り出し過程で蓄勢された渦巻きばね３３の付勢力によって、リール本体３１が糸巻き取り方向に回転し、これによって墨打ち糸６は、かるこ７が墨壺１のトップ部材５の糸繰り出し口５１に半収容状態に係止されるまで、前記リール本体３１に自動的に巻き取られる。
【００２５】
上記墨打ち作業のために墨打ち糸６を繰り出す過程では、図５に示されるように、墨壺本体を持っている手の指でキャップ９を押圧すると、これによって図６に示されるように陥没変形される前記キャップ９の上面部９１を介して、糸押さえレバー８の操作突部８４が押圧されるので、この糸押さえレバー８は軸部８１を中心に下方（墨室１Ｓの内方）へ揺動変位し、その揺動端部８３が墨室１Ｓ内を通る墨打ち糸６と墨汁の浸透した墨汁浸透部材１２とを強制的に押し付ける。このため、墨打ち作業の繰り返しによって、墨室１Ｓ内の墨汁浸透部材１２に浸透保持された墨汁の量がある程度減少した場合でも、墨打ち糸６に墨汁を十分に付着させて明瞭な墨線を転写することができる。
【００２６】
上記押さえレバー８の押圧動作において、その操作突部８４をゴム材からなるキャップ９の上面部９１を介して押圧するので、手指の腹への圧力が緩和され、感触が軟らかくなる。しかも、墨室カバー４の上面の凹部４６内に突出したキャップ９の球面状の上面部９１を手指で凹ますといった操作であるため、使い勝手が良い。
【００２７】
また、このキャップ９によって、前記操作突部８４を押圧操作可能とするための窓部４７が密閉されると共に、前記操作突部８４が完全に覆われ、外部へ露出していないので、押圧変位によって漏れの原因となる隙間を生じることがなく、この部分での墨汁の漏れを確実に防止することができる。なお、キャップ９に対する手指の押し付け力を解除すれば、前記糸押さえレバー８は、トーションばね８２の付勢力によって上方へ復帰動作される。
【００２８】
キャップ９を介して糸押さえレバー８を押圧しても、墨打ち糸６への墨汁の十分な付着量が得られなくなった場合は、先に説明したように拘束リング１６を回転させてその切欠部１６ａで被拘束突起４４の拘束を解除することによって、墨室カバー４を開き、墨室１Ｓ内の墨汁浸透部材１２に墨汁を補充する。補充後は、墨室カバー４を手指で倒し、拘束リング１６を逆方向へ回転させて被拘束突起４４を拘束することによって、前記墨室カバー４が本体ケース１の上部開口１Ｈを閉止した状態に保持される。
【００２９】
【発明の効果】
本発明に係る墨壺によると、押圧部材の操作部は、墨室の上部壁面の窓部に封着された弾性体によって完全に覆われているので、墨汁に対するシール性が向上し、しかも手指による前記操作部の押圧は前記弾性体を介して行われるため、感触が軟らかくなり、操作性が向上するといった効果が実現される。
【図面の簡単な説明】
【図１】本発明の一実施形態に係る墨壺を示す平面図である。
【図２】上記墨壺の底面図である。
【図３】図１のIII −III 線に沿って切断した断面図である。
【図４】上記実施形態における押圧部材を墨室カバーと分離して示す断面図である。
【図５】上記実施形態の使用状態を示す説明図である。
【図６】上記実施形態の使用状態を示す部分的な断面図である。
【符号の説明】
１  本体ケース
１Ｓ  墨室
２  糸巻きケース
３  リール
４  墨室カバー（上部壁面）
４７  窓部
５１  糸繰り出し口
６  墨打ち糸
７  かるこ
８  糸押さえレバー（押圧部材）
８４  操作突部（操作部）
９  キャップ（弾性体）
【図１】
0004469043.tif 000002
【図２】
0004469043.tif 000003
【図３】
0004469043.tif 000004
【図４】
0004469043.tif 000005
【図５】
0004469043.tif 000006
【図６】
0004469043.tif 000007